(57)【要約】      （修正有）【課題】手が届かない場所や内面に手の入らない中空部材や薄板に締結部材を取り付けるにあたって、取り付けが容易で、作業効率に優れた複合ナットを提供する。【解決手段】袋状のナット嵌着部２と、前記嵌着部に取り付けられる長尺のナット３からなり、前記嵌着部の外面７と一定の間隔を持って前記外面と対向する様に配置される把持片５と、前記嵌着部と前記把持片を連接する連接部６からなる下地材を把持するための把持部４から構成する。【選択図】図１
2013015159.tif 000002
【特許請求の範囲】
【請求項１】
片側のみからでも締結可能な複合ナットにおいて、前記複合ナットは、袋状のナット嵌着部と、前記嵌着部に取り付けられる長尺のナットからなり、前記嵌着部は、下地材を把持するための把持部を有し、前記把持部は、前記嵌着部の外面と一定の間隔を持って前記外面と対向する様に配置される把持片と、前記嵌着部と前記把持片を連接する連接部からなることを特徴とする複合ナット。
【請求項２】
前記把持部は、前記連接部から遠方側に位置する前記把持片の一端に翼状係止片を有することを特徴とする請求項１に記載の複合ナット。
【請求項３】
前記把持部は、前記把持片を前記嵌着部の対向する外面側に向かって凹状となるようにして形成された吸着部を有することを特徴とする請求項１乃至２に記載の複合ナット。
【請求項４】
前記把持部は、前記翼状係止片と反対側に位置する一端に一定の角度を持って前記嵌着部の対向する外面側とは反対の方向に向かって立ち上がる可曲片を有することを特徴とする請求項２乃至３に記載の複合ナット。
【請求項５】
前記長尺のナットは、前記嵌着部と係合する側の端部と反対側の端部が面外方向に隆起していることを特徴とする請求項１乃至４に記載の複合ナット。
【請求項６】
片側のみからでも締結可能な複合ナットにおいて、前記複合ナットは、金属製の平板を折り曲げ形成してなる把持部と、前記把持部に接合される長尺のナットからなり、前記把持部は、前記把持部の少なくとも一部の縁が前記ナット方向に向かって鉛直方向に折り曲げ形成されてなる前記ナットとの接合部と、軸心を前記ナットの雌ねじ部軸心と略合致させて形成された貫通孔と、前記把持部と一定の間隔を持って前記把持部と前記ナット間で延在する把持片と、前記把持部と前記把持片を連接する連接部を有していることを特徴とする複合ナット。
【発明の詳細な説明】
【技術分野】
【０００１】
本発明は、手が届かない場所や内面に手の入らない中空部材や薄板に締結部材を取り付けるための複合ナットに関する。
【背景技術】
【０００２】
従来、内面に手の入らない中空部材に対し、締結部材を取り付けるための手段として複合ナットが用いられている。
【０００３】
特許文献１に記載の挟みナット（１００）は、図４に示すように、中空部材Ａに被締結部材Ｂを連結するためのナットであって、中空部材Ａの端部Ａ´を前記挟みナット（１００）の折返し部（１０１）と前記挟みナット（１００）の重合部（１０２）との間に挟みこみ、前記折返し部（１０１）の屈出突縁（１０３）を中空部材Ａに予め設けられた挿入孔Ｃに嵌合させ、前記折返し部（１０１）に被締結部材Ｂを重ねて、被締結部材Ｂに設けられた孔Ｄと前記重合部（１０２）のねじ孔（１０４）の位置を合わせて締結部材Ｅをねじ込んで締付けることにより、中空部材Ａと被締結部材Ｂの連結が完了する。
【０００４】
しかしながら、前記挟みナット（１００）は、前述のように、端部Ａ´を前記折返し部（１０１）と前記重合部（１０２）との間に挟み込むという絶対条件があり、取り付け位置が拘束されるという問題があった。
【０００５】
また、端部Ａ´ではなく、任意の位置に締結部材Ｂを取り付ける場合は、作業者が締結部材Ｂの取り付け位置に前記挟みナット（１００）を取り付けるための開口部Ａ´´を設ける必要があった。
【０００６】
このようにして端部Ａ´に取り付けられる前記挟みナット（１００）は、任意の位置に取り付けを行う際、前記屈出突縁（１０３）を挿入するための挿入孔Ｃ及び前記挟みナット（１００）を取り付けるための開口部Ａ´´を設けなければならず、１固定箇所につき、中空部材Ａに対して予め２箇所の穿孔作業を実施することとなり、非常に手間がかかり、面倒なものであった。
【０００７】
そこで、内面に手の入らない中空部材であっても、取り付け位置に拘束されず、任意の位置に締結部材を取り付けることができる複合ナットとして、特許文献２に記載の回転ナット（２００）がある。
【０００８】
前記回転ナット（２００）は、図５（Ａ）に示すように、回転軸（２０１）及び傾斜面（２０２）が設けられたナット（２０３）と、ねじの挿通穴（２０４）及びガイド溝（２０５）が設けられた基部（２０６）からなる複合ナットである。
【０００９】
図５（Ｂ）に示すように、中空部材Ａに予め設けられた挿入孔Ｃに前記回転ナット（２００）を、図５（Ａ）の状態で長手方向に前記ナット（２０３）側から挿入し、被締結部材Ｂを重ねて、被締結部材Ｂに設けられた孔Ｄとねじの挿通穴（２０４）の位置を合わせて締結部材Ｅを差し込み、前記締結部材Ｅの先端（２０７）を前記傾斜面（２０２）に強く押し当てることで、前記ナット（２０３）が９０°回転する。
【００１０】
そして、締結部材Ｅをねじ込むと、前記ナット（２０３）が前記ガイド溝（２０５）に沿って引き寄せられ、中空部材Ａと被締結部材Ｂの締結が完了する。
【００１１】
このように、前記回転ナット（２００）は、中空部材Ａに予め設けられた挿入孔Ｃに前記回転ナット（２００）を挿入し、締結部材Ｅをねじ込むだけで、中空部材Ａと被締結部材Ｂとの締結を可能とするものである。
【００１２】
しかしながら、作業者は、前記ナット（２０３）が正確に回転したか否かを確認することはできず、締結部材Ｅのねじ込み時に締結部材Ｅが空転した場合に初めて前記ナット（２０３）が正確に回転していないことが判明し、締結部材Ｅ及び被締結部材Ｂを取り外し、再び前記回転ナット（２００）の挿入工程から始めなければならず、非常に手間がかかるものであった。
【００１３】
また、前記回転ナット（２００）は、前述のとおり、締結部材Ｅをねじ込んで前記ナット（２０３）を前記ガイド溝（２０５）に沿って引き寄せなければならず、締結部材Ｅが前記ガイド溝分の長さを余分に必要とするため、前記ナット（２０３）の引き寄せに時間を要し、作業効率の低下につながっていた。
【００１４】
一方で、内面に手の入らない中空部材であっても、取り付け位置に拘束されずに締結部材を取り付けることができ、かつ、前記回転ナット（２００）のようにナット自体を回転させずとも挿入可能な複合ナットとして、特許文献３に記載の板ナット体（３００）がある。
【００１５】
前記板ナット（３００）は、図６（Ａ）に示すように、厚さ方向に貫通する雌ねじ（３０１）と前記雌ねじ（３０１）の周辺に中空部材Ａに予め設けられた挿入孔Ｃに嵌合する突部（３０２）を有する金属製の長方形の板状のナット（３０３）と、一端側が前記ナット（３０３）に固着され、中空部材Ａに予め設けられた挿入孔Ｃの直径より大きい幅を有する拡大部（３０４）を有する金属製の薄板状の支持舌片（３０５）からなる複合ナットである。
【００１６】
図６（Ｂ）に示すように、前記板ナット（３００）を中空部材Ａに予め設けられた挿入孔Ｃに挿入し、前記拡大部（３０４）を引き寄せて前記突部（３０２）を中空部材Ａに予め設けられた挿入孔Ｃに嵌合させ、前記拡大部（３０４）を折り返し、被締結部材Ｂを重ねて、被締結部材Ｂに設けられた孔Ｄと前記雌ねじ（３０１）の位置を合わせて締結部材Ｅをねじ込んで締付けることにより、中空部材Ａと被締結部材Ｂの締結が完了する。
【００１７】
しかしながら、前記板ナット体（３００）を、施工完了時、床面に対して略平行となるように使用する場合、前記ナット（３０３）は、重力によって床面方向へと引き下げられてしまう。
【００１８】
そのため、前記板ナット体（３００）を床面に対して略平行となるように使用する場合は、前記拡大部（３０４）を前記ナット（３０１）が中空部材Ａに引き寄せられた状態でテープや接着剤等によって充分に固定保持させる必要があり、作業効率に優れていなかった。
【００１９】
また、広範囲にわたる被締結部材Ｂを中空部材Ａに締結するため前記板ナット体（３００）を複数箇所に使用する場合は、前述の理由より、全ての前記板ナット体（３００）の前記拡大部（３０４）をテープや接着剤等によって充分に固定保持しておかなければならないだけでなく、一度締結を完了させても、締結完了後の前記板ナット体（３００）が、他の板ナット体（３００）の締結時に発生する振動の影響を受け、締結部材Ｅが緩んでしまい、再度締結部材Ｅを締め直さなければならず、非常に手間がかかり面倒なものであった。
【先行技術文献】
【特許文献】
【００２０】
【特許文献１】実公昭３８−２５７２０号
【特許文献２】特許第３８２０４８７号
【特許文献３】特許第４０６１６０５号
【発明の概要】
【発明が解決しようとする課題】
【００２１】
そこで、本発明は、手が届かない場所や内面に手の入らない中空部材や薄板に締結部材を取り付けるにあたって、取り付けが容易で、作業効率に優れた複合ナットを提供することにある。
【課題を解決するための手段】
【００２２】
上記課題を解決するため、本願の請求項１に記載の発明は、片側のみからでも締結可能な複合ナットにおいて、前記複合ナットは、袋状のナット嵌着部と、前記嵌着部に取り付けられる長尺のナットからなり、前記嵌着部は、下地材を把持するための把持部を有し、前記把持部は、前記嵌着部の外面と一定の間隔を持って前記外面と対向する様に配置される把持片と、前記嵌着部と前記把持片を連接する連接部からなることを特徴とする複合ナットである。
【００２３】
請求項２に記載の発明は、前記把持部が、前記連接部から遠方側に位置する前記把持片の一端に翼状係止片を有することを特徴とする請求項１に記載の複合ナットである。
【００２４】
請求項３に記載の発明は、前記把持部が、前記把持片を前記嵌着部の対向する外面側に向かって凹状となるようにして形成された吸着部を有することを特徴とする請求項１乃至２に記載の複合ナットである。
【００２５】
請求項４に記載の発明は、前記把持部が、前記翼状係止片と反対側に位置する一端に一定の角度を持って前記嵌着部の対向する外面側とは反対の方向に向かって立ち上がる可曲片を有することを特徴とする請求項２乃至３に記載の複合ナットである。
【００２６】
請求項５に記載の発明は、前記長尺のナットが、前記嵌着部と係合する側の端部と反対側の端部が面外方向に隆起していることを特徴とする請求項１乃至４に記載の複合ナットである。
【００２７】
請求項６に記載の発明は、片側のみからでも締結可能な複合ナットにおいて、前記複合ナットは、金属製の平板を折り曲げ形成してなる把持部と、前記把持部に接合される長尺のナットからなり、前記把持部は、前記把持部の少なくとも一部の縁が前記ナット方向に向かって鉛直方向に折り曲げ形成されてなる前記ナットとの接合部と、軸心を前記ナットの雌ねじ部軸心と略合致させて形成された貫通孔と、前記把持部と一定の間隔を持って前記把持部と前記ナット間で延在する把持片と、前記把持部と前記把持片を連接する連接部を有していることを特徴とする複合ナットである。
【発明の効果】
【００２８】
本願発明による複合ナットは、袋状のナット嵌着部と、前記嵌着部に取り付けられる長尺のナットからなり、前記嵌着部は、下地材を把持するための把持部を有し、前記把持部は、前記嵌着部の外面と一定の間隔を持って前記外面と対向する様に配置される把持片と、前記嵌着部と前記把持片を連接する連接部からなることを特徴とすることで、下地材に対する挟持力に優れたものであるため、床面に対して立設された下地材に前記複合ナットを挿入する場合に限らず、前記複合ナットを床面に対して略平行となるように使用した場合や、広範囲にわたる被締結部材を下地材に締結するために前記複合ナットを複数箇所に使用する場合であっても、テープや接着剤等によって前記複合ナットを固定保持しておく必要がなく、作業効率の向上を図ることができる。
【００２９】
また、前記複合ナットは、前記嵌着部と前記把持片が対向するように前記連接部によって連接されているため、前記把持部と前記外面の間に下地材を位置させた場合、前記嵌着部は、下地材に対し、常に対向した状態となるため、従来の回転ナットのようにナットが正確に回転しているか否かの確認の必要はなく、締結部材及び被締結部材を取り外し、再び回転ナットの挿入工程から始めるという手間も発生せず、作業効率の向上を図ることができる。
【００３０】
さらに、前記連接部によって前記把持片と前記ナットを連接するため、従来の前記回転ナットのように、締結部材のねじ込みによってナットを中空部材に予め設けられた挿入孔側に引き寄せなければならないという作業工程も必要とせず、作業効率の向上を図ることができる。
【００３１】
すなわち、前記複合ナットは、手が届かない場所や内面に手の入らない中空部材や薄板に締結部材を取り付けるにあたって、取り付けが容易で、作業効率に優れた複合ナットとなる。
【図面の簡単な説明】
【００３２】
【図１】本願発明の実施例１の複合ナットの斜視図を示したものである。
【図２】本願発明の第１の実施例である前記複合ナットを用いて、被締結部材Ｂを中空部材Ａに取り付ける状態を示す断面図である。
【図３】本願発明の実施例２の複合ナットの斜視図を示したものである。
【図４】（Ａ）は、特許文献１に記載の挟みナット用いた施工時における斜視図を示し、（Ｂ）は、前記挟みナットを用いた施工での各部材を分解的に示す断面図及び正面図であり、（Ｃ）は、前記挟みナットを用いた場合における締結状態を示す断面図である。
【図５】（Ａ）は、特許文献２に記載の回転ナットの斜視図を示し、（Ｂ）は、前記回転ナットを用いた施工での各部材を分解的に示す断面図及び正面図であり、（Ｃ）は、前記回転ナットを用いた場合における締結状態を示す断面図である。
【図６】（Ａ）は、特許文献３に記載の板ナット体の斜視図を示し、（Ｂ）は、前記板ナットを用いた施工での各部材を分解的に示す断面図及び正面図であり、（Ｃ）は、前記板ナット体を用いた場合における締結状態を示す断面図である。
【発明を実施するための形態】
【００３３】
本願の請求項１に記載の発明は、片側のみからでも締結可能な複合ナットにおいて、前記複合ナットは、袋状のナット嵌着部と、前記嵌着部に取り付けられる長尺のナットからなり、前記嵌着部は、下地材を把持するための把持部を有し、前記把持部は、前記嵌着部の外面と一定の間隔を持って前記外面と対向する様に配置される把持片と、前記嵌着部と前記把持片を連接する連接部からなることを特徴とする複合ナットである。
【００３４】
請求項２に記載の発明は、前記把持部が、前記連接部から遠方側に位置する前記把持片の一端に翼状係止片を有することを特徴とする請求項１に記載の複合ナットである。
【００３５】
請求項３に記載の発明は、前記把持部が、前記把持片を前記嵌着部の対向する外面側に向かって凹状となるようにして形成された吸着部を有することを特徴とする請求項１乃至２に記載の複合ナットである。
【００３６】
請求項４に記載の発明は、前記把持部が、前記翼状係止片と反対側に位置する一端に一定の角度を持って前記嵌着部の対向する外面側とは反対の方向に向かって立ち上がる可曲片を有することを特徴とする請求項２乃至３に記載の複合ナットである。
【００３７】
請求項５に記載の発明は、前記長尺のナットが、前記嵌着部と係合する側の端部と反対側の端部が面外方向に隆起していることを特徴とする請求項１乃至４に記載の複合ナットである。
【００３８】
請求項６に記載の発明は、片側のみからでも締結可能な複合ナットにおいて、前記複合ナットは、金属製の平板を折り曲げ形成してなる把持部と、前記把持部に接合される長尺のナットからなり、前記把持部は、前記把持部の少なくとも一部の縁が前記ナット方向に向かって鉛直方向に折り曲げ形成されてなる前記ナットとの接合部と、軸心を前記ナットの雌ねじ部軸心と略合致させて形成された貫通孔と、前記把持部と一定の間隔を持って前記把持部と前記ナット間で延在する把持片と、前記把持部と前記把持片を連接する連接部を有していることを特徴とする複合ナットである。
【００３９】
以下、この発明の実施例を図示に基づいて説明する。
【実施例１】
【００４０】
図１乃至図２は、本願発明の第１の実施例である複合ナット（１）を示したものである。
【００４１】
図１は、本願発明の実施例１の複合ナット（１）の斜視図であり、袋状のナット嵌着部（２）と、前記嵌着部に取り付けられる長尺のナット（３）からなり、前記嵌着部（２）は、下地材を把持するための把持部（４）を有する。
【００４２】
なお、本実施例では、前記下地材を内面に手の入らない中空部材Ａとしているが、中空部材のみに限られるものではなく、薄板等であってもよい。
【００４３】
前記把持部（４）は、把持片（５）と連接部（６）からなり、前記把持片（５）は、前記嵌着部（２）の外面（７）と一定の間隔Ｈを持って前記外面（７）と対向する様に配置され、前記連接部（６）は、前記嵌着部（２）と前記把持片（５）を連接する。
【００４４】
ここで、前記把持片（５）と前記外面（７）との間に設けられる前記一定の間隔Ｈは、中空部材Ａの厚みｈと同等、または中空部材Ａの厚みｈよりも小さい程度で設けることを最良とする。
【００４５】
例えば、前記一定の間隔Ｈが、中空部材Ａの厚みｈよりも大きいものであれば、前記把持片（５）と前記外面（７）との間で中空部材Ａを挟持することができず、固定保持が困難なものとなってしまうが、前記一定の間隔Ｈが、中空部材Ａの厚みｈと同等、または中空部材Ａの厚みｈよりも小さいものであれば、前記把持片（５）と前記外面（７）との間で中空部材Ａを挟持し、中空部材Ａは、前記把持片（５）と前記外面（７）の間に当接し、かつ、固定保持されることとなる。
【００４６】
さらに、前記把持片（５）は、前記外面（７）と対向する様に配置されているため、床面に対して立設された中空部材Ａに前記複合ナット（１）を挿入する場合に限らず、前記複合ナット（１）を床面に対して略平行となるように使用した場合であっても、図２（ｂ）に示すように、中空部材Ａを、前記把持片（５）と前記外面（７）の間で当接させ、かつ、固定保持することができる。
【００４７】
そして、より効果的には、前記把持片（５）を前記外面（７）側に向かって凹状となるようにして形成することで、吸着部（８）を設けることによって、より保持力を増大させることができる。
【００４８】
なぜなら、前記吸着部（８）を設け、前記把持片（５）の一部を前記外面（７）側に突出させることで、前記把持片（５）と前記外面（７）との間で中空部材Ａを挟持する際、前記吸着部（８）が中空部材Ａへの引っかかり作用を奏し、中空部材Ａに対する挟持力が向上し、より固定保持に優れたものとなる。
【００４９】
さらに、前記吸着部（８）を中空部材（Ａ）の表面側に設けることによって、締結部材Ｅを用いて前記把持部（４）と被締結部材Ｂを圧着させる際、被締結部材Ｂの荷重を前記吸着部（８）に集中させることができ、被締結部材Ｂの締結時、中空部材Ａに対する挟持力が一段と向上し、より安定した固定保持を行うことができる。
【００５０】
また、前記連接部（６）から遠方側に位置する前記把持片（５）の一端に、翼状係止片（９）を設けることによって、前記把持片（５）の表面積が増加し、前記複合ナット（１）を広範囲にわたって支持することが可能となり、より固定保持に優れたものとなる。
【００５１】
なお、前記翼状係止片（９）は、前記把持片（５）の表面積を増加させるものであるため、形状に限定はなく、例えば、円形状や多角状、立体状であってもよい。
【００５２】
さらに、前記翼状係止片（９）と反対側に位置する一端に一定の角度を持って前記嵌着部の対向する外面側とは反対の方向に向かって立ち上がる可曲片（１０）を設けることによって、前記可曲片（１０）が締結部材Ｅの谷部に噛み合うことで、締結部材Ｅの緩みを防止し、前記複合ナット（１）の固定保持を維持し続けることが可能となる。
【００５３】
そのため、広範囲にわたる被締結部材Ｂを中空部材Ａに締結するために前記複合ナット（１）を複数箇所に使用する場合であっても、締結完了後の前記複合ナット（１）が、他の箇所の前記複合ナット（１）の締結時に発生する振動の影響を受けて締結部材Ｅが緩んでしまうということはなく、再度締結部材Ｅを締め直さなければならないという手間を省くことができ、作業効率の向上を図ることができる。
【００５４】
このように、前記可曲片（１０）は、締結部材Ｅの谷部に噛み合うことで、前記複合ナット（１）と締結部材Ｅの固定保持を維持し続けるためのものであることから、前記可曲片（１０）の一定の角度とは、前記可曲片（１０）の延長線状に締結部Ｅの谷部が位置する範囲の角度であり、かつ、前記可曲片（１０）の端部は、締結部Ｅの谷部と接触するように設けられていれば良い。
【００５５】
そして、前記ナット（３）は、締結部材Ｅを挿通するための雌ねじ部（１１）を有し、前記雌ねじ部（１１）を前記嵌着部（２）と重なり合わない位置に設けておくことで、中空部材Ａに予め設けられた挿入孔Ｃと前記雌ねじ部（１１）に一貫して締結部材Ｅを挿通させることができるため、中空部材Ａに予め設けておく挿入孔Ｃは、１箇所で良く、作業効率の向上を図ることができる。
【００５６】
さらに、前記ナット（３）は、前記嵌着部（２）と係合する側の端部と反対側の端部（１２）を中空部材Ａと当接する側の面外方向に隆起させても良く、前記端部（１２）を前記面外方向に隆起させることで、前記ナット（３）の、中空部材Ａとの接触部が増加し、より安定した固定保持が可能となる。
【００５７】
前述のように、前記複合ナット（１）は、中空部材Ａに対する挟持力に優れたものであるため、床面に対して立設された中空部材Ａに前記複合ナット（１）を挿入する場合に限らず、前記複合ナット（１）を床面に対して略平行となるように使用した場合や、広範囲にわたる被締結部材Ｂを中空部材Ａに締結するために前記複合ナット（１）を複数箇所に使用する場合であっても、テープや接着剤等によって前記複合ナット（１）を固定保持しておく必要がなく、作業効率の向上を図ることができる。
【００５８】
また、前記複合ナット（１）は、前記嵌着部（２）と前記把持片（５）が対向するように前記連接部（６）によって連接されているため、前記把持片（５）と前記外面（７）の間に中空部材Ａを位置させた場合、前記嵌着部（２）は、中空部材Ａに対し、常に対向した状態となるため、従来の回転ナット（２００）のように前記ナット（２０３）が正確に回転しているか否かの確認の必要はなく、締結部材Ｅ及び被締結部材Ｂを取り外し、再び前記回転ナット（２００）の挿入工程から始めるという手間も発生せず、作業効率の向上を図ることができる。
【００５９】
さらに、前記連接部（６）によって前記嵌着部（２）と前記把持片（５）を連接することで、取付け時点で前記把持片（５）と前記外面（７）の間に中空部材Ａを当接状態に固定可能とできるため、従来の前記回転ナット（２００）のように、締結部材Ｅのねじ込みによって前記ナット（２０３）を中空部材Ａに予め設けられた挿入孔Ｃ側に引き寄せなければならないという作業工程も必要とせず、作業効率の向上を図ることができる。
【００６０】
図２は、本願発明の第１の実施例である前記複合ナットを用いて、被締結部材Ｂを中空部材Ａに取り付ける状態を示す断面図であり、図２（ａ）に示すように、中空部材Ａに予め設けられた挿入孔Ｃに前記複合ナット（１）を前記複合ナット（１）の長手方向側に向けた状態で挿入する。
【００６１】
次に、図２（ｂ）に示すように、前記複合ナット（１）を中空部材Ａと略平行方向に向けて、前記把持片（５）と前記外面（７）の間に中空部材Ａが位置するように前記把持片（５）を中空部材Ａと略平行に引っ張る。
【００６２】
このとき、前記複合ナット（１）は、テープや接着剤等によって固定保持しなくても、前記把持片（５）と前記外面（７）との間に一定の間隔Ｈを中空部材Ａの厚みｈと同等、または中空部材Ａの厚みｈよりも小さい程度で設けているいため、中空部材Ａを、前記把持片（５）と前記外面（７）の間で挟持し、固定保持することができる。
【００６３】
また、前記吸着部（８）を設けているので、前記吸着部（８）が中空部材Ａへの引っかかり作用を奏し、中空部材Ａに対する挟持力が向上し、より固定保持に優れたものとなっている。
【００６４】
さらに、前記翼状係止片（９）を設けているので、前記複合ナット（１）を広範囲にわたって支持することが可能となり、より固定保持に優れたものとなっている。
【００６５】
そして、図２（ｃ）に示すように、前記把持片（５）の上から、被締結部材Ｂを重ねて、被締結部材Ｂに設けられた孔Ｄと前記ナット（３）の雌ねじ部（１１）の位置を合わせて締結部材Ｅをねじ込んで締付けることにより、中空部材Ａと被締結部材Ｂの締結が完了する。
【００６６】
このとき、前記ナット（３）の前記雌ねじ部（１１）を前記嵌着部（２）と重なり合わない位置に設けているので、中空部材Ａに予め設けられた挿入孔Ｃと前記雌ねじ部（１１）に一貫して締結部材Ｅを挿通させることができるため、中空部材Ａに予め設けておく挿入孔は、１箇所で良い。
【００６７】
さらに、前記ナット（３）の前記端部（１２）を中空部材Ａと当接する側の面外方向に隆起させているので、中空部材Ａとの接触部が増加し、より安定した固定保持が可能となる。
【００６８】
また、前記吸着部（８）は、締結時だけでなく締結完了後においても、被締結部材Ｂの荷重を前記吸着部（８）に集中させることができるため、中空部材Ａに対する挟持力が一段と向上し、より固定保持に優れたものとなる。
【００６９】
そして、前記複合ナット（１）は、前記可曲片（１０）を、前記可曲片（１０）の延長線状に締結部Ｅの谷部が位置する範囲の角度に設定し、かつ、前記可曲片（１０）の端部が、締結部Ｅの谷部と接触するように設けてなるので、前記可曲片（１０）が締結部材Ｅの谷部に噛み合い、締結部材Ｅの緩みを防止し、前記複合ナット（１）の固定保持を維持し続けることが可能となる。
【００７０】
すなわち、前記複合ナット（１）は、内面に手の入らない中空部材Ａに対し締結部材Ｅを取り付けるにあたって、前記ナット（３）を締結部材Ｅのねじ込み前から中空部材Ａに引き寄せた状態で確実に固定保持することができ、容易な前記複合ナット（１）の取り付けを可能とし、作業効率に優れた複合ナット（１）となる。
【実施例２】
【００７１】
図３は、本願発明の実施例２の複合ナットの斜視図を示したものである。
【００７２】
次に、本願発明の第２の実施例は、片側のみからでも締結可能な複合ナット（１´）において、前記複合ナット（１´）は、金属製の平板を折り曲げ形成してなる把持部（４）と、前記把持部（４）に接合される長尺のナット（３）からなり、前記把持部（４）は、前記把持部（４）の少なくとも一部の縁（１３）が前記ナット（３）方向に向かって鉛直方向に折り曲げ形成されてなる前記ナット（３）との接合部（１４）と、軸心を前記ナットの雌ねじ部軸心と略合致させて形成された貫通孔（１５）と、前記把持部（４）と一定の間隔を持って前記把持部（４）と前記ナット（３）間で延在する把持片（５´）と、前記把持部（４）と前記把持片（５´）を連接する連接部（６）を有していることを特徴とする複合ナット（１´）である。
【００７３】
そして、実施例２に記載の構成は、前記ナット（３）と前記把持部（４）を前記接合部（１４）によって接合するものであり、前記把持部（４）が前記雌ねじ部（１１）を覆ってしまうため、前記把持部（４）には、軸心を前記ナットの雌ねじ部軸心と略合致させた前記貫通孔（１５）を設けている。
【００７４】
このように、前記把持部（４）に前記貫通孔（１５）を設けたことで、中空部材Ａに予め設けられた挿入孔Ｃと前記雌ねじ部（１１）に一貫して締結部材Ｅを挿通させることができるため、中空部材Ａに予め設けておく挿入孔Ｃは、１箇所で良く、作業効率の向上を図ることができる。
【００７５】
また、前記複合ナット（１´）は、前記ナット（３）と前記把持部（４）を接合しているため、本願発明の第１の実施例における前記複合ナット（１）と異なり、前記嵌着部（２）の前記外面（７）を設けることができず、本願発明の第１の実施例における前記複合ナット（１）のように、前記把持片（５）を前記外面（７）と対向する様に配置することができない。
【００７６】
そこで、前記把持部（４）と一定の間隔Ｈを持って前記把持部（４）と前記ナット（３）間で延在する把持片（５´）と、前記把持部（４）と前記把持片（５´）を連接する連接部（６）を設ける。
【００７７】
このとき、前記把持片（５´）は、本願発明の第１の実施例における前記複合ナット（１）と同様、前記把持部（４）と一定の間隔Ｈを持って対向する様に配置し、前記一定の間隔Ｈは、中空部材Ａの厚みｈと同等、または中空部材Ａの厚みｈよりも小さい程度で設けることを最良とする。
【００７８】
このように配置された前記把持片（５´）は、前記把持部（４）との間で中空部材Ａを挟持することができ、中空部材Ａは、前記把持部（４）と前記把持片（５´）の間に当接し、かつ、固定保持されることとなる。
【００７９】
本願の第２の実施例とした前記複合ナット（１´）は、本願の第１の実施例である前記複合ナット（１）と同等の効果を奏し、手が届かない場所や内面に手の入らない中空部材や薄板に締結部材を取り付けるにあたって、取り付けが容易で、作業効率に優れた複合ナット（１´）となる。
【産業上の利用可能性】
【００８０】
袋状のナット嵌着部と、前記嵌着部に取り付けられる長尺のナットからなり、前記嵌着部は、下地材を把持するための把持部を有し、前記把持部は、前記嵌着部の外面と一定の間隔を持って前記外面と対向する様に配置される把持片と、前記嵌着部と前記把持片を連接する連接部からなることを特徴とする複合ナットの構成とすることで、前記複合ナットの下地材に対する固定保持力に優れ、中空部材に対する挟持力に優れたものとなり、床面に対して略平行となるように使用する場合や、広範囲にわたる被締結部材Ｂを中空部材に締結するために前記複合ナットを複数箇所に使用する場合であっても、テープや接着剤等によって固定保持しておく必要がなく、作業効率の向上を図ることができるため、従来より課題であった、手が届かない場所や内面に手の入らない中空部材や薄板に取り付けるための複合ナットを用いた施工の作業効率の低下を解決することができる。
【００８１】
また、金属製の平板を折り曲げ形成してなる把持部と、前記把持部に接合される長尺のナットからなり、前記把持部は、前記把持部の少なくとも一部の縁が前記ナット方向に向かって鉛直方向に折り曲げ形成されてなる前記ナットとの接合部と、軸心を前記ナットの雌ねじ部軸心と略合致させて形成された貫通孔と、前記把持部と一定の間隔を持って前記把持部と前記ナット間で延在する把持片と、前記把持部と前記把持片を連接する連接部を有していることを特徴とする複合ナットの構成とすることで、本願の第１の実施例である前記複合ナットと同等の効果を奏し、取り付けが容易で、作業効率に優れた複合ナットの取り付けを可能とし、従来より課題であった、手が届かない場所や薄板に取り付けるための複合ナットを用いた施工の作業効率の低下を解決することができる。
【符号の説明】
【００８２】
１    複合ナット
２    嵌着部
３    ナット
４    把持部
５    把持片
６    連接部
７    外面
８    吸着部
９    翼状係止片
１０  可曲片
１１  雌ねじ部
１２  端部
１３  縁
１４  接合部
１５  貫通孔
Ａ    中空部材
Ａ´   端部
Ａ´´  開口部
Ｂ    被締結部材
Ｃ    中空部材Ａに予め設けられた挿入孔
Ｄ    被締結部材に設けられた孔
Ｅ    締結部材
【図１】
2013015159.tif 000003
【図２】
2013015159.tif 000004
【図３】
2013015159.tif 000005
【図４】
2013015159.tif 000006
【図５】
2013015159.tif 000007
【図６】
2013015159.tif 000008